(57)【要約】【課題】玄関の見た目を損なうことを抑制することができる床下換気構造を得る。【解決手段】床下換気構造３０は、基礎１２と、シューズクローク３２と、通気部３４とを有する。基礎１２は、建物１０の床下空間Ｋを形成する。シューズクローク３２は、建物１０の玄関１６に隣接して設けられ、入口４１を介して玄関１６と通気可能とされている。通気部３４は、シューズクローク３２を構成する奥壁４２に形成されシューズクローク３２から床下空間Ｋへ通気可能とされ、奥壁４２のうち入口４１の開口方向において入口４１と対向する対向部４７Ａを除いた非対向部４７Ｂに形成されている。【選択図】図４
2018188930.tif 000002
【特許請求の範囲】
【請求項１】
建物の床下空間を形成する基礎と、
前記建物の玄関に隣接して設けられ、入口を介して前記玄関と通気可能とされた収納部と、
前記収納部を構成する収納部壁に形成され前記収納部から前記床下空間へ通気可能とされた通気部であって、前記収納部壁のうち前記入口の開口方向において前記入口と対向する対向部を除いた非対向部に形成された前記通気部と、
を有する床下換気構造。
【請求項２】
前記通気部は、前記収納部壁の前記非対向部のうち、前記入口に隣接する隣接部を除いた非隣接部に形成されている請求項１に記載の床下換気構造。
【請求項３】
前記通気部は、前記収納部壁の前記非隣接部のうち、前記開口方向に向けて配置された正面部を除いた非正面部に形成されている請求項２に記載の床下換気構造。
【請求項４】
建物の床下空間を形成する基礎と、
前記建物の玄関に隣接して設けられ、入口を介して前記玄関と通気可能とされた収納部と、
前記収納部を構成する収納部壁に形成され前記収納部から前記床下空間へ通気可能とされた通気部と、
前記入口と前記通気部との間に配置され、前記入口から前記通気部への視線を遮る遮視部材と、
を有する床下換気構造。
【請求項５】
前記収納部壁は、前記収納部と前記建物の居室とを仕切り、
前記建物の高さ方向における前記収納部壁の上部には、前記居室の内側と前記収納部の内側とを連通させる補助通気口が形成され、
前記収納部壁には、前記補助通気口からの空気の流れを許容すると共に前記入口から前記補助通気口への視線を遮る補助遮視部材が設けられている請求項１から請求項４のいずれか１項に記載の床下換気構造。
【請求項６】
建物の床下空間を形成する基礎と、
前記建物の玄関に隣接して設けられ、入口を介して前記玄関と通気可能とされた収納部と、
前記収納部を構成する収納部壁に形成され前記収納部から前記床下空間へ通気可能とされた通気部と、
前記収納部における前記玄関側で前記入口を開放及び閉止する扉と、
前記扉の閉止状態において前記扉と前記収納部の床との間に通気可能な空間部が形成されるように、前記扉を開閉方向に移動可能に吊り下げる吊下部と、
を有する床下換気構造。
【請求項７】
前記建物の奥行方向又は該奥行方向と直交する間口方向において、前記玄関側とは反対側には勝手口が設けられ、
前記基礎上には、前記勝手口側の空間と前記床下空間とを区画する壁体が設けられ、
前記壁体には、前記勝手口側の空間から前記床下空間へ通気可能とされた壁体通気部が形成されている請求項１から請求項６のいずれか１項に記載の床下換気構造。
【請求項８】
前記床下空間から外側へ排気する排気部が設けられ、
前記通気部から前記排気部までの距離と、前記壁体通気部から前記排気部までの距離とが等しい請求項７に記載の床下換気構造。
【発明の詳細な説明】
【技術分野】
【０００１】
本発明は、床下換気構造に関する。
【背景技術】
【０００２】
特許文献１の床下換気構造では、断熱材が設けられ外部から気密封止された床下空間を有する基礎断熱住宅おいて、室内空気を床下に導く給気口と、床下空気を外部に導く排気口とを備え、排気口に強制換気手段を接続して床下空間に室内空気を強制循環させている。
【先行技術文献】
【特許文献】
【０００３】
【特許文献１】特開平１０−３３１２７７号公報
【発明の概要】
【発明が解決しようとする課題】
【０００４】
しかしながら、上記技術では、玄関に面している給気口を通して床下空間が見えてしまい、玄関の見た目を損なうことになる。
【０００５】
本発明は、玄関の見た目を損なうことを抑制することができる床下換気構造を得ることが目的である。
【課題を解決するための手段】
【０００６】
第１態様に係る床下換気構造は、建物の床下空間を形成する基礎と、前記建物の玄関に隣接して設けられ、入口を介して前記玄関と通気可能とされた収納部と、前記収納部を構成する収納部壁に形成され前記収納部から前記床下空間へ通気可能とされた通気部であって、前記収納部壁のうち前記入口の開口方向において前記入口と対向する対向部を除いた非対向部に形成された前記通気部と、を有する。
【０００７】
第１態様に係る床下換気構造では、玄関から収納部内へ流れる空気が、通気部を通って床下空間へ流れることで、床下空間の換気が行われる。ここで、通気部は、収納部壁のうち入口の開口方向において入口と対向する対向部を除いた非対向部に形成されている。このため、玄関から収納部の入口を通して収納部内を見た場合に通気部が視認されないので、通気部を通して床下空間が視認されることがなくなる。これにより、玄関の見た目を損なうことを抑制することができる。
【０００８】
第２態様に係る床下換気構造の前記通気部は、前記収納部壁の前記非対向部のうち、前記入口に隣接する隣接部を除いた非隣接部に形成されている。
【０００９】
第２態様に係る床下換気構造では、通気部が非隣接部に形成されることで収納部の入口付近に通気部が配置されなくなり、通気部を通して床下空間が視認されることがなくなるので、玄関の見た目を損なうことを抑制することができる。
【００１０】
第３態様に係る床下換気構造の前記通気部は、前記収納部壁の前記非隣接部のうち、前記開口方向に向けて配置された正面部を除いた非正面部に形成されている。
【００１１】
第３態様に係る床下換気構造では、通気部が非正面部に形成されることで、通気部を通して床下空間が視認されることがなくなるので、玄関の見た目を損なうことを抑制することができる。
【００１２】
第４態様に係る床下換気構造は、建物の床下空間を形成する基礎と、前記建物の玄関に隣接して設けられ、入口を介して前記玄関と通気可能とされた収納部と、前記収納部を構成する収納部壁に形成され前記収納部から前記床下空間へ通気可能とされた通気部と、前記入口と前記通気部との間に配置され、前記入口から前記通気部への視線を遮る遮視部材と、を有する。
【００１３】
第４態様に係る床下換気構造では、玄関から収納部内へ流れる空気が、通気部を通って床下空間へ流れることで、床下空間の換気が行われる。ここで、入口と通気部との間に配置された遮視部材が、入口から通気部への視線を遮る。このため、玄関から収納部の入口を通して収納部内を見た場合に、遮視部材によって通気部が隠れるので、通気部を通して床下空間が視認されることがなくなる。これにより、玄関の見た目を損なうことを抑制することができる。
【００１４】
第５態様に係る床下換気構造の前記収納部壁は、前記収納部と前記建物の居室とを仕切り、前記建物の高さ方向における前記収納部壁の上部には、前記居室の内側と前記収納部の内側とを連通させる補助通気口が形成され、前記収納部壁には、前記補助通気口からの空気の流れを許容すると共に前記入口から前記補助通気口への視線を遮る補助遮視部材が設けられている。
【００１５】
第５態様に係る床下換気構造では、補助通気口を通して居室から収納部内に空気が流れる。これにより、収納部内に玄関からのみ空気が流れる構成に比べて、収納部内を流れる空気の経路が増えるので、収納部内の換気効率を高めることができる。なお、補助遮視部材は、補助通気口から収納部内への空気の流れを許容しているため、補助通気口から収納部内への空気の流れが遮断されることはない。また、補助通気口は、補助遮視部材によって視線が遮られているために玄関から視認されない。このため、玄関の見た目を損なうことを抑制することができる。
【００１６】
第６態様に係る床下換気構造は、建物の床下空間を形成する基礎と、前記建物の玄関に隣接して設けられ、入口を介して前記玄関と通気可能とされた収納部と、前記収納部を構成する収納部壁に形成され前記収納部から前記床下空間へ通気可能とされた通気部と、前記収納部における前記玄関側で前記入口を開放及び閉止する扉と、前記扉の閉止状態において前記扉と前記収納部の床との間に通気可能な空間部が形成されるように、前記扉を開閉方向に移動可能に吊り下げる吊下部と、を有する。
【００１７】
第６態様に係る床下換気構造では、玄関から収納部内へ流れる空気が、通気部を通って床下空間へ流れることで、床下空間の換気が行われる。ここで、入口を開放及び閉止する扉が、入口の閉止状態において、入口から通気部への視線を遮る。このため、玄関から収納部の入口を通して収納部内を見ようとしても扉によって通気部が隠れるので、通気部を通して床下空間が視認されることがなくなる。これにより、玄関の見た目を損なうことを抑制することができる。なお、扉の閉止状態において、扉と収納部の床との間には通気可能な空間部が形成されている。このため、扉が閉止状態にあっても、玄関から空間部を通って収納部内へ空気が流れる。これにより、空間部が形成されていない構成に比べて、床下空間へ流れる空気量の低下を抑制することができる。
【００１８】
第７態様に係る床下換気構造は、前記建物の奥行方向又は該奥行方向と直交する間口方向において、前記玄関側とは反対側には勝手口が設けられ、前記基礎上には、前記勝手口側の空間と前記床下空間とを区画する壁体が設けられ、前記壁体には、前記勝手口側の空間から前記床下空間へ通気可能とされた壁体通気部が形成されている。
【００１９】
第７態様に係る床下換気構造では、玄関側の通気部と、勝手口側の壁体通気部とから、床下空間へ空気が流れる。言い換えると、建物の奥行方向における手前側と奥側（又は間口方向における一方側と他方側）との両方から床下空間へ空気が流れる。これにより、玄関側の通気部からのみ床下空間へ空気が流れる構成に比べて、床下空間における奥行方向又は間口方向の一部に空気が滞留するのを抑制することができる。
【００２０】
第８態様に係る床下換気構造は、前記床下空間から外側へ排気する排気部が設けられ、前記通気部から前記排気部までの距離と、前記壁体通気部から前記排気部までの距離とが等しい。なお、距離が等しいとは、距離が完全に同一であることだけではなく、略同一も含んでいる。略同一とは、通気部から排気部までの距離と、壁体通気部から排気部までの距離との差が、排気方向から見た場合の排気部の水平方向の幅程度あるものも含むことを意味している。
【００２１】
第８態様に係る床下換気構造では、排気部が、通気部及び壁体通気部が配置された位置を底辺側の頂点とする仮想の二等辺三角形の頂角部分に位置することになる。ここで、通気部から排気部までの距離と、壁体通気部から排気部までの距離とが等しいために、排気部に向けて、通気部側、壁体通気部側から均等に空気が流れる。これにより、床下空間の換気効率を高めることができる。
【発明の効果】
【００２２】
以上説明したように、本発明に係る床下換気構造では、玄関の見た目を損なうことを抑制することができる。
【図面の簡単な説明】
【００２３】
【図１】第１実施形態に係る建物の主要部のレイアウトを示す平面図である。
【図２】第１実施形態に係る床下空間内を空気が流れる状態を示す説明図である。
【図３】第１実施形態に係るシューズクローク内を空気が流れる状態を示す説明図である。
【図４】第１実施形態に係る収納部壁の区分を示す説明図である。
【図５】第２実施形態に係る床下換気構造の説明図である。
【図６】第３実施形態に係る床下換気構造の説明図である。
【図７】第４実施形態に係る床下換気構造の説明図である。
【図８】第５実施形態に係る床下換気構造の説明図である。
【図９】変形例に係る建物の主要部のレイアウトを示す平面図である。
【図１０】変形例に係る床下空間内を空気が流れる状態を示す説明図である。
【発明を実施するための形態】
【００２４】
[第１実施形態]
第１実施形態に係る床下換気構造３０の一例について説明する。
【００２５】
〔全体構成〕
図１には、第１実施形態の建物１０の一階部分が示されている。建物１０は、一例として、二階建てとされており、道路１１に面している。以後の説明では、建物１０の桁方向をＹ方向、妻方向をＸ方向、高さ方向をＺ方向と称する。Ｘ方向、Ｙ方向及びＺ方向は、互いに直交する。Ｙ方向は、道路１１側から建物１０を見た場合の奥行方向に相当する。Ｘ方向は、建物１０の間口方向に相当する。建物１０には、後述する床下換気構造３０（図２参照）が適用されている。
【００２６】
また、以後の説明では、建物１０のＹ方向における中央に対して道路１１側を手前側と称し、Ｙ方向における中央に対して道路１１側とは反対側を奥側と称する。さらに、建物１０のＸ方向における後述する玄関１６が設けられた側を一方側と称し、Ｘ方向における中央に対して一方側とは反対側を他方側と称する。なお、建物１０の二階部分についての図示及び説明は省略する。
【００２７】
図２に示すように、建物１０の一階部分は、一例として、Ｙ方向に並んで基礎１２上に組み上げられた４個の建物ユニット１４により構成されている。建物ユニット１４は、図示を省略するが、４本の柱と、互いに平行に配置された長短二組の床大梁と、これらの床大梁に対して平行に配置された長短二組の天井大梁とを含んで構成されている。
【００２８】
図１に示すように、建物１０は、外壁１８を有する。外壁１８は、建物１０の内部の生活空間と、建物１０の外部の空間とを区画している。また、建物１０は、一例として、玄関１６と、シューズクローク３２と、フロア床３３と、居室２２と、台所２４と、浴室２６と、ゴミ置場２７とを含んで構成されている。シューズクローク３２の詳細については、後述する。
【００２９】
玄関１６は、建物１０におけるＹ方向の中央に対する手前側でかつＸ方向の中央に対する一方側に配置されている。玄関１６の開閉扉１６Ａは、道路１１側に向けて開放される。玄関１６に対する奥側には、後述するシューズクローク３２が設けられている。玄関１６のＸ方向中央に対する一方側でかつ玄関１６とシューズクローク３２との間には、仕切壁１７が設けられている。玄関１６のＸ方向中央に対する他方側には、フロア床３３が配置されている。フロア床３３は、Ｙ方向に沿って延びている。フロア床３３の他方側には、一階部分と二階部分とを繋ぐ階段２９が配置されている。なお、本実施形態では、一例として、フロア床３３を居室２２に含める。
【００３０】
フロア床３３及びシューズクローク３２に対する奥側には、居室２２が配置されている。居室２２は、Ｘ−Ｙ面に沿って広がる床板２２Ａを有する。床板２２Ａは、後述する基礎１２（図２参照）に対してＺ方向の上側に配置されている。居室２２の一方側に対する奥側には、台所２４が配置されている。台所２４の奥側には、勝手口２５が設けられている。言い換えると、勝手口２５は、建物１０におけるＹ方向の中央に対して玄関１６側とは反対側に設けられている。また、台所２４に対する奥側でかつ勝手口２５に対する一方側には、ゴミ置場２７が配置されている。台所２４とゴミ置場２７との間には、引違い戸２７Ａが設けられている。居室２２の他方側に対する奥側には、浴室２６が配置されている。
【００３１】
〔要部構成〕
次に、床下換気構造３０について説明する。
【００３２】
図２に示す床下換気構造３０は、基礎１２と、収納部の一例としてのシューズクローク３２（図１参照）と、通気部３４とを有する。
【００３３】
＜基礎＞
基礎１２は、地盤１３にコンクリートを打設することにより形成されている。また、基礎１２は、一例として、第１基礎部１２Ａと、第１基礎部１２Ａに対する手前側でかつ一方側に配置された第２基礎部１２Ｂと、第１基礎部１２Ａに対する奥側でかつ一方側に配置された第３基礎部１２Ｃとを含んで構成されている。さらに、基礎１２には、図示しない断熱材が取付けられている。
【００３４】
第１基礎部１２Ａは、平面視した（Ｚ方向の上側から見た）場合に、基礎１２のＸ方向の中央に対する他方側でＹ方向に延びる第１底部１５Ａと、第１底部１５ＡのＹ方向の中央部からＸ方向の一方側に延びる第２底部１５Ｂとを有する略Ｔ字状に形成されている。第１底部１５Ａの上面の高さと、第２底部１５Ｂの上面の高さとは、揃えられている。また、第１基礎部１２Ａは、床下空間ＫのＺ方向の下部を形成している。
【００３５】
第２基礎部１２Ｂは、第２底部１５Ｂに対する手前側に配置され、平面視した場合に四角形状に形成されている。第２基礎部１２Ｂの上面の高さは、第１基礎部１２Ａの上面の高さよりも高い。つまり、第１基礎部１２Ａと第２基礎部１２Ｂとの間には、段差３７（図３参照）が形成されている。また、第２基礎部１２Ｂは、一例として、玄関１６（図１参照）の「たたき」として用いられている。
【００３６】
第３基礎部１２Ｃは、第２底部１５Ｂに対する奥側に配置され、平面視した場合に四角形状に形成されている。第３基礎部１２Ｃの上面の高さは、第１基礎部１２Ａの上面の高さよりも高く、第２基礎部１２Ｂの上面の高さとほぼ同じとされている。つまり、第１基礎部１２Ａと第３基礎部１２Ｃとの間には、図示しない段差が形成されている。また、第３基礎部１２Ｃは、一例として、勝手口２５（図１参照）の「たたき」として用いられている。
【００３７】
基礎１２における第１基礎部１２Ａ及び段差３７（図３参照）の外縁部となる部位には、平面視で第１基礎部１２Ａ及び段差３７を囲む縦壁部３８が、Ｚ方向に沿って立設されている。
【００３８】
（縦壁部）
縦壁部３８は、奥壁４２と、壁体４４と、側壁４６とを含んで構成されている。なお、奥壁４２については後述する。
【００３９】
壁体４４は、第３基礎部１２ＣのＹ方向手前側で、基礎１２上にＺ方向に沿って設けられており、建物１０における勝手口２５（図１参照）側の空間と床下空間Ｋとを区画している。また、壁体４４は、Ｙ方向を厚さ方向としてＸ方向に延在されている。さらに、壁体４４の一部は、第３基礎部１２Ｃの上面から上側に延びるており、台所２４とゴミ置場２７（図１参照）とをＹ方向に区画している。加えて、壁体４４には、Ｙ方向に貫通する壁体通気口５７が形成されている。
【００４０】
壁体通気口５７は、壁体通気部の一例である。また、壁体通気口５７は、一例として、Ｙ方向から見た場合にＸ方向を長手方向としＺ方向を短手方向とする矩形状に形成されている。壁体通気口５７には、図示しないガラリが設けられている。壁体通気口５７では、勝手口２５側の空間から床下空間Ｋへの空気の流通（通気）が可能となっている。そして、壁体通気口５７では、後述する換気扇３６の排気動作によって、勝手口２５側の空間から床下空間Ｋへ空気が流れるようになっている。
【００４１】
側壁４６は、基礎１２のＸ方向の中央に対して、玄関１６及び勝手口２５（図１参照）が設けられた側とは反対側（第１基礎部１２Ａの中央に対するＸ方向の他方側）の基礎１２上に、Ｙ方向及びＺ方向に沿って（Ｘ方向を厚さ方向として）設けられている。また、側壁４６は、外壁１８（図１参照）の下部を構成している。さらに、側壁４６は、建物１０のＹ方向の手前側から奥側まで延在されている。加えて、側壁４６におけるＹ方向のほぼ中央となる部位には、側壁４６をＸ方向に貫通した排気口５８が形成されている。
【００４２】
排気口５８は、一例として、Ｘ方向から見た場合にＹ方向を長手方向としＺ方向を短手方向とする矩形状に形成されている。また、排気口５８は、建物１０におけるＹ方向の中央に対して、玄関１６及び勝手口２５が配置された側とは反対側に設けられている。排気口５８には、後述する換気扇３６が設けられている。排気口５８では、床下空間Ｋから建物１０の外側の空間への空気の流通が可能となっている。そして、排気口５８では、後述する換気扇３６の排気動作によって、床下空間Ｋから建物１０の外側の空間へ空気が強制的に流れる（排気が行われる）。
【００４３】
ここで、床下空間Ｋは、第１基礎部１２Ａと、縦壁部３８と、居室２２の床板２１（図３参照）と、浴室２６及びフロア床３３（図１参照）の図示しない床板とで囲まれて形成されている。既述のように、床下空間ＫのＺ方向の下部は、第１基礎部１２Ａにより形成されている。床下空間ＫのＺ方向の中央部及び上部は、縦壁部３８及び床板２１により形成されている。床下空間Ｋ内における側壁４６とＸ方向に対向する部位には、センサ３９が設けられている。センサ３９は、一例として、床下空間Ｋ内の温度を測定する。センサ３９で測定された温度の情報は、後述する制御ユニット４０に送られる。
【００４４】
＜シューズクローク＞
図１に示すように、シューズクローク３２は、玄関１６に隣接して設けられている。また、シューズクローク３２は、平面視で、Ｘ方向を長手方向としＹ方向を短手方向とする矩形状に形成されており、複数の履物Ｓ（図３参照）等が収納される空間部とされている。具体的には、シューズクローク３２は、収納部壁３５で囲まれて構成されている。収納部壁３５は、平面視で、Ｙ方向の手前側でＸ方向に延びる仕切壁１７と、Ｙ方向の奥側でＸ方向に延びる奥壁４２と、Ｘ方向の一方側でＹ方向に延びる外壁４３と、Ｘ方向の他方側でＹ方向に延びる内壁４５とを有する。シューズクローク３２の床３２Ａは、基礎１２（図２参照）により構成されている。また、シューズクローク３２のＺ方向の上側には、天井壁３２Ｂ（図３参照）が設けられている。
【００４５】
仕切壁１７は、玄関１６の開閉扉１６ＡとＹ方向に対向配置されている。また、仕切壁１７は、一例として、Ｙ方向から見た場合に、シューズクローク３２のＸ方向の中央から一端まででＺ方向全体を覆う壁部１７Ａと、Ｘ方向の中央から他端まででＺ方向の上端部のみを覆う壁部１７Ｂ（図３参照）とを有する。そして、Ｘ方向における仕切壁１７と内壁４５との間の空間が、玄関１６からシューズクローク３２に入るための入口４１とされている。つまり、シューズクローク３２の一部は玄関１６に向けて開放されている。これにより、シューズクローク３２は、入口４１を介して玄関１６と通気可能とされている。奥壁４２は、シューズクローク３２と居室２２とを区画して（仕切って）いる。
【００４６】
図４には、シューズクローク３２の奥壁４２、仕切壁１７、外壁４３及び内壁４５の平面図が模式的に示されている。奥壁４２の領域のうち、入口４１の開口方向（Ｙ方向）において入口４１と対向する領域を領域ＳＡと称し、入口４１と対向しない領域を領域ＳＢと称して区別する。仕切壁１７の領域を領域ＳＣ、外壁４３の領域を領域ＳＤ、内壁４５の領域を領域ＳＥと称する。
【００４７】
ここで、シューズクローク３２を構成する各壁において、領域ＳＡ内に位置する部位を対向部４７Ａと称し、対向部４７Ａを除いた部位（領域ＳＢ、領域ＳＣ、領域ＳＤ及び領域ＳＥ内に位置する部位）を非対向部４７Ｂと称する。さらに、非対向部４７Ｂのうち、Ｙ方向と直交するＸ方向に向けて配置され入口４１に隣接する部位を隣接部４８Ａと称し、隣接部４８Ａを除いた部位（領域ＳＢ、領域ＳＣ及び領域ＳＤ内に位置する部位）を非隣接部４８Ｂと称する。加えて、非隣接部４８Ｂのうち、Ｙ方向に向けて配置された部位（領域ＳＢ内に位置する部位）を正面部４９Ａと称し、正面部４９Ａを除いた部位（領域ＳＤ及び領域ＳＣ内に位置する部位）を非正面部４９Ｂと称する。
【００４８】
＜通気部＞
図２に示す通気部３４は、一例として、奥壁４２の非対向部４７Ｂでかつ非隣接部４８Ｂ（図４参照）に形成された通気口５６で構成されている。通気口５６は、一例として、Ｙ方向から見た場合にＸ方向を長手方向としＺ方向を短手方向とする矩形状に形成されている。図３に示すように、通気口５６には、ガラリ５１（図３参照）が設けられている。通気口５６では、シューズクローク３２及び玄関１６（図１参照）側の空間から床下空間Ｋへの空気の流通（通気）が可能となっている。そして、通気口５６では、後述する換気扇３６（図２参照）の排気動作によって、シューズクローク３２及び玄関１６側の空間から床下空間Ｋへ強制的に空気が流れるようになっている。
【００４９】
図２に示すように、通気口５６の配置は、一例として、壁体通気口５７とＹ方向に並ぶ（対向する）配置とされている。また、Ｘ方向から見た場合に、通気口５６は、排気口５８に対してＹ方向の手前側に配置されており、壁体通気口５７は、排気口５８に対してＹ方向の奥側に配置されている。ここで、排気口５８のＸ方向及びＹ方向の中央となる位置を点Ａとする。また、通気口５６のＸ方向及びＹ方向の中央となる位置を点Ｂとする。さらに、壁体通気口５７のＸ方向及びＹ方向の中央となる位置を点Ｃとする。本実施形態では、一例として、線分ＡＢの長さＬ１（距離Ｌ１）と、線分ＡＣの長さＬ２（距離Ｌ２）とが等しい。言い換えると、排気口５８、通気口５６、壁体通気口５７は、一例として、Ｚ方向から見た場合に、三角形ＡＢＣが二等辺三角形状となるように配置されている。なお、距離Ｌ１と距離Ｌ２とが等しいとは、距離Ｌ１と距離Ｌ２が完全に同一であることだけではなく、略同一も含んでいる。略同一とは、通気口５６から排気口５８までの距離Ｌ１と、壁体通気口５７から排気口５８までの距離Ｌ２との差が、排気方向（Ｘ方向）から見た場合の排気口５８のＹ方向（水平方向）の幅程度にあるものも含むことを意味している。
【００５０】
＜棚板＞
図３に示すように、シューズクローク３２内の奥壁４２には、Ｚ方向に間隔をあけて複数の棚板５２が設けられている。それぞれの棚板５２は、Ｚ方向を厚さ方向として、奥壁４２からＹ方向の手前側に向けて延びている。なお、第１実施形態では、複数の棚板５２が、奥壁４２におけるＺ方向の中央部よりも上側の部位とＹ方向に対向する位置に設けられている。棚板５２上には、複数の履物Ｓが載置されている。各図において、空気の流れは点線Ａｆで示している。
【００５１】
＜換気扇＞
図２に示す換気扇３６及び排気口５８は、排気部の一例である。換気扇３６は、排気口５８に設けられている。また、換気扇３６は、ファン３６Ａ及び図示しないモータを有しており、ファン３６Ａの回転によって、床下空間Ｋから外側へ排気する。図示しないモータの駆動制御は、側壁４６に設けられた制御ユニット４０により行われる。制御ユニット４０は、ＣＰＵ、メモリ及び不揮発性の記憶部を含んで構成されており、センサ３９で測定された温度が設定温度（一例として２５℃）を超えた場合に、図示しないモータを駆動してファン３６Ａを回転させるように構成されている。また、制御ユニット４０は、センサ３９で測定された温度が設定温度以下となった場合に、図示しないモータの駆動を停止してファン３６Ａの回転を停止させるように構成されている。
【００５２】
既述のように、排気口５８、通気口５６、壁体通気口５７は、三角形ＡＢＣが二等辺三角形状となるように配置されている。言い換えると、換気扇３６は、通気口５６から換気扇３６までの距離（長さＬ１）と、壁体通気口５７から換気扇３６までの距離（長さＬ２）とが等しくなるように、側壁４６に設けられている。なお、長さＬ１と長さＬ２とが等しいとは、これらが完全に同一であることだけではなく、略同一も含んでいる。略同一とは、長さＬ１と長さＬ２との差が、Ｘ方向から見た場合の排気口５８の水平方向の幅程度あるものも含むことを意味している。
【００５３】
〔作用〕
次に、第１実施形態の床下換気構造３０の作用について図１から図３までを用いて説明する。
【００５４】
床下換気構造３０では、センサ３９で測定された温度が設定温度を超えた場合に、換気扇３６が排気動作を開始する。これにより、床下空間Ｋ内の空気が排気口５８を通って建物１０の屋外に排気される。また、床下空間Ｋ内の空気が排気されることにより、床下空間Ｋ内が負圧状態となるため、大気圧状態となっているシューズクローク３２内の空気が、通気口５６を通って床下空間Ｋへ強制的に流れる。なお、換気扇３６が排気動作を行っていない場合であっても、温度差等によって圧力差が生じることで、シューズクローク３２内の空気が通気口５６を通って床下空間Ｋへ流れることはある。図に示された点線の矢印Ａｆは、空気の流れの一部を模式的に示したものである。
【００５５】
シューズクローク３２内の空気が床下空間Ｋへ流れることに伴い、居室２２から玄関１６及び入口４１を通ってシューズクローク３２内へ空気が流れる。このように、居室２２の空気が、玄関１６、シューズクローク３２及び通気口５６を経由して床下空間Ｋへ流れると共に、換気扇３６によって屋外へ排気されるので、床下空間Ｋの一部に空気が滞留することが抑制されると共に床下空間Ｋの換気が行われる。なお、居室２２内の空気の湿度は、一般的に床下空間Ｋ内の湿度に比べて低いため、居室２２内の空気が床下空間Ｋに流れることで、床下空間Ｋ内の湿度が低下する。
【００５６】
ここで、通気口５６（通気部３４）が、シューズクローク３２における奥壁４２のうちＹ方向において入口４１と対向する対向部４７Ａを除いた非対向部４７Ｂの下端部に形成されている。このため、玄関１６から入口４１を通してシューズクローク３２内を見た場合に、通気口５６が視認されないので、通気口５６を通して床下空間Ｋが視認されることがなくなる。これにより、通気口５６が玄関１６に露出した構成に比べて、玄関１６の見た目を損なうことを抑制することができる。
【００５７】
また、床下換気構造３０では、通気口５６が非隣接部４８Ｂに形成されることで、シューズクローク３２の入口４１付近に通気口５６が配置されなくなり、通気口５６を通して床下空間Ｋが視認されることがなくなる。このため、玄関１６の見た目を損なうことを抑制することができる。
【００５８】
さらに、床下換気構造３０では、換気扇３６の排気動作によって、玄関１６側の通気口５６と、勝手口２５側の壁体通気口５７とから、床下空間Ｋへ空気が強制的に流れる。言い換えると、Ｙ方向における手前側と奥側の両方から床下空間Ｋへ空気が流れる。これにより、玄関１６側の通気口５６からのみ床下空間Ｋへ空気が流れる構成に比べて、床下空間Ｋの一部に空気が滞留するのを抑制することができる。
【００５９】
加えて、床下換気構造３０では、換気扇３６が、通気口５６及び壁体通気口５７が配置された位置を底辺側の頂点とする仮想の二等辺三角形の頂角部分に位置している。ここで、通気口５６から換気扇３６までの距離（長さＬ１）と、壁体通気口５７から換気扇３６までの距離（長さＬ２）とが等しくなっている。このため、換気扇３６に向けて、通気口５６側、壁体通気口５７側からほぼ均等に空気が流れる。さらに、換気扇３６は、Ｘ方向の中央に対して通気口５６及び壁体通気口５７が形成された側とは反対側に位置している。このため、換気扇３６が通気口５６及び壁体通気口５７と同じ側に配置された構成に比べて、通気口５６及び壁体通気口５７から換気扇３６までの距離が長くなる。これにより、換気扇３６の動作で床下空間Ｋの広い範囲に空気が流れるようになるので、床下空間Ｋの換気効率を高めることができる。なお、床下空間Ｋの換気効率は、仮想の二等辺三角形の大きさが大きくなるほど高まる。
【００６０】
[第２実施形態]
次に、第２実施形態に係る床下換気構造５０の一例について説明する。なお、前述した第１実施形態と基本的に同一の部材、部位には、前記第１実施形態と同一の符号を付与してその説明を省略する。
【００６１】
図５には、第２実施形態に係る床下換気構造５０が示されている。床下換気構造５０は、第１実施形態の床下換気構造３０（図１参照）において、奥壁４２に遮視部材の一例としての下棚板５４が設けられた構成とされている。
【００６２】
下棚板５４は、複数の棚板５２の一つであり、Ｚ方向の最も下側に位置している。また、下棚板５４は、Ｘ方向を長手方向、Ｙ方向を短手方向として延在されている。下棚板５４のＸ方向の長さ、Ｙ方向の長さ及びＺ方向の設置位置は、玄関１６に立っている人間が奥壁４２における下棚板５４よりもＺ方向下側の部位を視認できないように設定されている。言い換えると、下棚板５４は、入口４１と通気口５６（通気部３４）との間に配置され、玄関１６から奥壁４２を見た場合に、入口４１から通気口５６への視線を遮る（通気口５６を隠蔽する）ように構成されている。ここで、シューズクローク３２の床３２Ａと下棚板５４との間には空間が形成されているため、通気口５６への空気の流れは許容されている。
【００６３】
〔作用〕
次に、第２実施形態の床下換気構造５０の作用について説明する。
【００６４】
床下換気構造５０では、玄関１６からシューズクローク３２内へ流れる空気が、通気口５６を通って床下空間Ｋへ流れることで、床下空間Ｋの換気が行われる。ここで、入口４１と通気口５６との間に配置された下棚板５４が、入口４１から通気口５６への視線を遮る。このため、玄関１６から入口４１を通してシューズクローク３２内を見た場合に視線が下がることがあっても、下棚板５４によって通気口５６が隠れるので、通気口５６を通して床下空間Ｋが視認されることがなくなる。これにより、玄関１６の見た目を損なうことを抑制することができる。
【００６５】
[第３実施形態]
次に、第３実施形態に係る床下換気構造６０の一例について説明する。なお、前述した第１、第２実施形態と基本的に同一の部材、部位には、前記第１、第２実施形態と同一の符号を付与してその説明を省略する。
【００６６】
図６には、第３実施形態に係る床下換気構造６０が示されている。床下換気構造６０は、第２実施形態の床下換気構造５０（図５参照）において、奥壁４２の上部に補助通気口６２が形成された構成とされている。
【００６７】
補助通気口６２は、奥壁４２におけるＸ方向の中央よりも一方側でかつＺ方向における奥壁４２の中央よりも上側（一例として、奥壁４２の上端部付近）に形成されている。また、補助通気口６２は、一例として、Ｙ方向から見た場合にＸ方向を長手方向としＺ方向を短手方向とする矩形状に形成されている。補助通気口６２には、ガラリ６３が設けられている。そして、補助通気口６２は、居室２２の内側とシューズクローク３２の内側とを連通させている。
【００６８】
また、奥壁４２のシューズクローク３２側の側面には、補助遮視部材の一例としてのカバー部材６４が設けられている。カバー部材６４は、一例として、補助通気口６２の周縁部のうちＺ方向の下側となる部位からＹ方向の手前側に張出された底板６４Ａと、底板６４ＡのＹ方向の手前側端部からＺ方向に直立する縦板６４Ｂとを有する。縦板６４ＢのＺ方向の上端部と天井壁３２Ｂとの間には、空気が流通する空間である流通部６６が形成されている。このように、カバー部材６４は、補助通気口６２からシューズクローク３２内への空気の流れを許容すると共に入口４１から補助通気口６２への視線を遮っている。言い換えると、カバー部材６４は、補助通気口６２をＹ方向の手前側（玄関１６側）から隠蔽している。
【００６９】
〔作用〕
次に、第３実施形態の床下換気構造６０の作用について説明する。
【００７０】
図６に示す床下換気構造６０では、換気扇３６（図２参照）の動作に伴って、玄関１６からシューズクローク３２内に空気が流れると共に、奥壁４２の補助通気口６２を経由して居室２２からシューズクローク３２内に空気が流れる。これにより、シューズクローク３２内に玄関１６からのみ空気が流れる構成に比べて、シューズクローク３２内を流れる空気の経路が増えるので、入口４１が狭い構造であっても、シューズクローク３２内の換気効率を高めることができる。
【００７１】
また、床下換気構造６０では、カバー部材６４が補助通気口６２への視線を遮っているため、玄関１６から奥壁４２を見た場合に、カバー部材６４は視認されるが、補助通気口６２は視認されない。これにより、玄関１６の見た目を損なうことを抑制することができる。なお、カバー部材６４は、流通部６６が形成されていることにより、補助通気口６２からシューズクローク３２内への空気の流れを許容している。このため、居室２２から補助通気口６２を通してシューズクローク３２内への空気の流れが遮断されることはない。
【００７２】
さらに、床下換気構造６０では、補助通気口６２が奥壁４２の上端部付近に形成されているので、補助通気口６２が奥壁４２の中央部に形成された構成に比べて、補助通気口６２から通気口５６までの距離が長くなる。これにより、シューズクローク３２内の広い範囲で空気が流れるので、シューズクローク３２内の一部が換気され難くなることを抑制することができる。加えて、補助通気口６２が奥壁４２の上端部付近に形成されていることで、居室２２にタンス、棚等の家具を配置した場合でも、居室２２からの空気の流路を確保することができる。
【００７３】
[第４実施形態]
次に、第４実施形態に係る床下換気構造７０の一例について説明する。なお、前述した第１、第２、第３実施形態と基本的に同一の部材、部位には、前記第１、第２、第３実施形態と同一の符号を付与してその説明を省略する。
【００７４】
図７には、第４実施形態に係る床下換気構造７０が示されている。床下換気構造７０は、第２実施形態の床下換気構造５０（図５参照）において、シューズクローク３２の入口４１に扉７２及び吊下部７４が設けられた構成とされている。なお、図７では、床下換気構造７０を分かり易く示すために、扉７２及び吊下部７４と通気口５６とをＹ方向に並べた状態で示している。
【００７５】
扉７２は、Ｘ方向及びＺ方向に沿って広がる板状に形成されている。扉のＸ方向の幅は、入口４１のＸ方向の幅よりも広い。扉７２のＺ方向の高さは、入口４１のＺ方向の高さよりも低い。これにより、扉７２とシューズクローク３２の床３２Ａとの間に通気可能な空間部７６が形成されている。ここで、扉７２が後述する吊下部７４によって吊り下げられた状態において、扉７２の下端のＺ方向の高さ位置は、一例として、通気口５６の上端のＺ方向の高さ位置と同程度とされている。また、扉７２は、Ｘ方向に移動されることによって、シューズクローク３２における玄関１６側で入口４１を開放及び閉止する。
【００７６】
吊下部７４は、一例として、Ｘ方向に延在するガイドレール７４Ａと、ガイドレール７４Ａと係合すると共にＸ方向にガイド（案内）される被ガイド部７４Ｂと、被ガイド部７４Ｂと扉７２の上端とを連結する連結部７４Ｃとを有する。
【００７７】
ガイドレール７４ＡをＸ方向から見た場合の断面は、Ｚ方向の下側に向けて開口する逆Ｕ字状に形成されている。また、ガイドレール７４Ａは、一例として、壁部１７Ｂに隣接してシューズクローク３２側に設けられている。被ガイド部７４Ｂは、ガイドレール７４ＡとＺ方向に係合されており、図示しないストッパにより支持されることで落下が防止されている。また、被ガイド部７４Ｂは、ガイドレール７４Ａに沿ってＸ方向に移動可能とされている。連結部７４Ｃは、被ガイド部７４ＢのＺ方向の下面から下側へ延びており、下端部が扉７２の上端面に固定されることで、被ガイド部７４Ｂと扉７２とを連結している。
【００７８】
ここで、吊下部７４は、扉７２が入口４１を閉止する閉止状態において、扉７２とシューズクローク３２の床３２Ａとの間に通気可能な空間部７６が形成されるように、扉７２を開閉方向（一例としてＸ方向）に移動可能に吊り下げている。
【００７９】
〔作用〕
次に、第４実施形態の床下換気構造７０の作用について説明する。
【００８０】
図７に示す床下換気構造７０では、玄関１６からシューズクローク３２内へ流れる空気が、通気口５６を通って床下空間Ｋへ流れることで、床下空間Ｋの換気が行われる。ここで、入口４１を開放及び閉止する扉７２が、入口４１の閉止状態において、入口４１から通気口５６への視線を遮る。このため、玄関１６から入口４１を通してシューズクローク３２内を見ようとしても扉７２によって通気口５６が隠れるので、通気口５６を通して床下空間Ｋが視認されることがなくなる。これにより、玄関１６の見た目を損なうことを抑制することができる。なお、扉７２の閉止状態において、扉７２と床３２Ａとの間には通気可能な空間部７６が形成されている。このため、扉７２が閉止状態にあっても、玄関１６から空間部７６を通ってシューズクローク３２内へ空気が流れる。これにより、空間部７６が形成されていない構成（入口４１全体が図示しない扉により密閉された構成）に比べて、床下空間Ｋへ流れる空気量の低下を抑制することができる。
【００８１】
[第５実施形態]
次に、第５実施形態に係る床下換気構造８０の一例について説明する。なお、前述した第１〜第４実施形態と基本的に同一の部材、部位には、前記第１〜第４実施形態と同一の符号を付与してその説明を省略する。
【００８２】
図８には、第５実施形態に係る床下換気構造８０が示されている。床下換気構造８０は、第１実施形態の床下換気構造３０（図１参照）において、シューズクローク３２が玄関１６に対するＸ方向の一方側でＹ方向を長手方向として配置された構成とされている。また、Ｘ方向に延び玄関１６と居室２２とを仕切る仕切壁８２が設けられている。なお、通気口５６の位置は第１実施形態と同様である。
【００８３】
第５実施形態のシューズクローク３２は、収納部壁３５に囲まれて構成されている。収納部壁３５は、平面視で、仕切壁８４と、仕切壁８６と、奥壁４２と、Ｘ方向に沿った外壁４３とを有する。仕切壁８４は、仕切壁８２のＸ方向の一方側端部からＹ方向に延びている。仕切壁８６は、仕切壁８４のＹ方向の奥側端部からＸ方向に沿って延びている。奥壁４２は、Ｙ方向に沿った外壁４３の一部を構成しており、仕切壁８６のＸ方向の一方側端部からＹ方向に沿って手前側に延びている。Ｘ方向に沿った外壁４３は、奥壁４２のＹ方向の手前側端部から開閉扉１６Ａまで延びている。また、Ｘ方向に沿った外壁４３のＸ方向の他端部と、仕切壁８２の一方側端部との間の空間が、玄関１６からシューズクローク３２に入るための入口４１とされている。シューズクローク３２は、入口４１を介して玄関１６と通気可能とされている。
【００８４】
シューズクローク３２において、奥壁４２の領域のうち、入口４１の開口方向（Ｘ方向）において入口４１と対向する領域を領域ＳＡと称し、入口４１と対向しない領域を領域ＳＢと称して区別する。Ｘ方向に沿った外壁４３の領域をＳＣ、仕切壁８４の領域を領域ＳＤ、仕切壁８６の領域を領域ＳＥと称する。
【００８５】
ここで、シューズクローク３２を構成する各壁において、領域ＳＡ内に位置する部位を対向部８７Ａと称し、対向部８７Ａを除いた部位（領域ＳＢ、領域ＳＣ、領域ＳＤ及び領域ＳＥ内に位置する部位）を非対向部８７Ｂと称する。さらに、非対向部８７Ｂのうち、入口４１が開口する方向であるＸ方向と直交するＹ方向に向けて配置され入口４１に隣接する部位を隣接部８８Ａと称する。また、非対向部８７Ｂのうち、隣接部８８Ａを除いた部位（領域ＳＢ、領域ＳＤ及び領域ＳＥ内に位置する部位）を非隣接部８８Ｂと称する。加えて、非隣接部８８Ｂのうち、Ｘ方向に向けて配置された部位（領域ＳＢ内に位置する部位）を正面部８９Ａと称し、正面部８９Ａを除いた部位（領域ＳＥ及び領域ＳＤ内に位置する部位）を非正面部８９Ｂと称する。
【００８６】
通気部３４（通気口５６）は、収納部壁３５の非隣接部８８Ｂのうち、非正面部８９Ｂに形成されている。通気口５６の配置は、第１実施形態と同じ配置とされている。なお、通気部３４は、領域ＳＤ内に設けられていてもよい。
【００８７】
〔作用〕
次に、第５実施形態の床下換気構造８０の作用について説明する。
【００８８】
床下換気構造８０では、通気口５６（通気部３４）が、シューズクローク３２における収納部壁３５のうち非対向部８７Ｂ、非隣接部８８Ｂ及び非正面部８９Ｂとなる仕切壁８６に形成されている。このため、玄関１６から入口４１を通してシューズクローク３２内を見た場合に、通気口５６が視認されないので、通気口５６を通して床下空間Ｋ（図２参照）が視認されることがなくなる。これにより、通気口５６が玄関１６に露出した構成に比べて、玄関１６の見た目を損なうことを抑制することができる。
【００８９】
なお、本発明は上記の実施形態に限定されない。
【００９０】
＜変形例＞
図９には、建物１０（図１参照）に比べて間口の広い変形例の建物９０が示されている。なお、建物１０（図１参照）の構成と基本的に同様の構成については、建物１０と同じ符号を付与して説明を省略する。
【００９１】
建物９０では、道路１１に対して、居室９２がＹ方向の奥側でＸ方向に広がっている。居室９２に対するＸ方向の他方側端部には、台所２４が配置されている。居室９２の手前側でかつＸ方向の一方側端部には、シューズクローク９４が配置されている。シューズクローク９４に対するＸ方向の他方側には玄関９６が配置されている。玄関９６に対するＸ方向の他方側には浴室２６が配置され、浴室２６に対するＸ方向の他方側には、勝手口２５が配置されている。勝手口２５と台所２４とは、引違い戸２７Ａにより区画されている。
【００９２】
図１０に示すように、建物９０では、Ｙ方向の奥側に第１基礎部１２Ａが配置されており、第２底部１５Ｂが第１底部１５ＡのＸ方向の中央からＹ方向の手前側に延びている。第２基礎部１２Ｂは、第２底部１５Ｂに対してＸ方向の一方側に配置されている。第３基礎部１２Ｃは、第２底部１５Ｂに対してＸ方向の他方側に配置されている。第１底部１５Ａと第２基礎部１２Ｂとの間には、Ｘ方向に沿って奥壁１０２が配置されている。第１底部１５Ａと第３基礎部１２Ｃとの間には、Ｘ方向に沿って壁体１０４が配置されている。第１基礎部１２Ａに対するＹ方向の奥側には、側壁１０６が配置されている。なお、奥壁１０２、壁体１０４及び側壁１０６を含み、第１基礎部１２Ａを囲む壁を縦壁部１０１と称する。
【００９３】
奥壁１０２の下端部には、奥壁１０２をＹ方向に貫通する通気口５６が形成されている。壁体１０４には、壁体１０４をＹ方向に貫通する壁体通気口５７が形成されている。側壁１０６のＸ方向の中央部には、側壁１０６をＹ方向に貫通する排気口５８が形成されている。排気口５８には、換気扇３６が設けられている。ここで、床下空間Ｋは、第１基礎部１２Ａと、縦壁部１０１と、床板２１（図３参照）とで囲まれて形成されている。床下空間Ｋ内には、センサ３９が設けられている。建物９０では、基礎１２と、換気扇３６と、シューズクローク９４（図９参照）と、通気口５６と、下棚板５４（図５参照）と、センサ３９と、制御ユニット４０（図２参照）とにより、床下換気構造１００が構成されている。
【００９４】
床下換気構造１００では、センサ３９で測定された温度が設定温度を超えた場合に、換気扇３６が排気動作を開始する。これにより、床下空間Ｋ内の空気が排気口５８を通って建物９０の屋外に排気される。床下空間Ｋ内の空気が排気されることにより、床下空間Ｋ内が負圧状態となるため、大気圧状態となっているシューズクローク９４（図９参照）内の空気が、通気口５６を通って床下空間Ｋへ流れる。
【００９５】
シューズクローク９４内の空気が床下空間Ｋへ流れることに伴い、居室９２（図９参照）から玄関９６を通ってシューズクローク９４内へ空気が流れる。このように、居室９２の空気が、玄関９６、シューズクローク９４及び通気口５６を経由して床下空間Ｋへ流れると共に、換気扇３６によって屋外へ排気されることで、床下空間Ｋの一部に空気が滞留することが抑制されると共に床下空間Ｋの換気が行われる。
【００９６】
また、床下換気構造１００では、通気口５６が、シューズクローク９４における奥壁１０２の下端部に形成されている。さらに、通気口５６は、下棚板５４（図５参照）により視線が遮られている。つまり、玄関９６から通気口５６が視認されない。これにより、換気扇３６を用いて床下空間Ｋの換気を行う床下換気構造１００において、通気口５６が玄関９６に露出した構成に比べて、玄関９６の見た目を損なうことを抑制することができる。
【００９７】
さらに、床下換気構造１００では、玄関９６側の通気口５６と、勝手口２５側の壁体通気口５７とから、床下空間Ｋへ空気が流れる。言い換えると、建物９０の間口方向における一方側と他方側との両方から床下空間Ｋへ空気が流れる。これにより、玄関９６側の通気口５６からのみ床下空間Ｋへ空気が流れる構成に比べて、床下空間Ｋにおける間口方向の一部に空気が滞留するのを抑制することができる。
【００９８】
加えて、床下換気構造１００では、通気口５６から排気口５８までの距離と、壁体通気口５７から排気口５８までの距離とが等しいために、排気口５８に向けて、通気口５６側、壁体通気口５７側から均等に空気が流れる。さらに、排気口５８は、奥行方向の中央に対して、玄関９６及び勝手口２５が配置された側とは反対側に位置している。これにより、床下空間Ｋの広い範囲に空気が流れるようになるので、床下空間Ｋの換気効率を高めることができる。
【００９９】
＜他の変形例＞
床下換気構造３０において、通気口５６から換気扇３６までの距離と、壁体通気口５７から換気扇３６までの距離とが異なっていてもよい。また、壁体４４に壁体通気口５７が形成されていなくてもよい。さらに、通気口５６は、非対向部４７Ｂのうち、隣接部４８Ａに形成されていてもよい。
【０１００】
床下換気構造５０において、下棚板５４が設けられていなくてもよい。また、通気口５６から換気扇３６までの距離と、壁体通気口５７から換気扇３６までの距離とが異なっていてもよい。さらに、壁体４４に壁体通気口５７が形成されていなくてもよい。加えて、通気口５６は、非対向部４７Ｂのうち、隣接部４８Ａに形成されていてもよい。
【０１０１】
床下換気構造６０において、下棚板５４が設けられていなくてもよい。また、通気口５６から換気扇３６までの距離と、壁体通気口５７から換気扇３６までの距離とが異なっていてもよい。さらに、壁体４４に壁体通気口５７が形成されていなくてもよい。
【０１０２】
床下換気構造７０において、奥壁４２に補助通気口６２を形成してもよい。また、通気口５６から換気扇３６までの距離と、壁体通気口５７から換気扇３６までの距離とが異なっていてもよい。さらに、壁体４４に壁体通気口５７が形成されていなくてもよい。
【０１０３】
床下換気構造８０において、通気口５６から換気扇３６までの距離と、壁体通気口５７から換気扇３６までの距離とが異なっていてもよい。また、壁体４４に壁体通気口５７が形成されていなくてもよい。さらに、通気口５６は、仕切壁８４又は奥壁４２における非隣接部８８Ｂに形成されていてもよい。
【０１０４】
床下換気構造１００において、通気口５６から換気扇３６までの距離と、壁体通気口５７から換気扇３６までの距離とが異なっていてもよい。また、壁体４４に壁体通気口５７が形成されていなくてもよい。
【０１０５】
第１基礎部１２Ａ上には、基礎１２を構成する材料とは異なる材料で構成された床部が設けられていてもよい。例えば、第１基礎部１２Ａ上のみに、基礎１２を構成する材料とは異なる材料である防湿コンクリートで構成された床部を設けてもよい。
【０１０６】
収納部は、シューズクローク３２、９４に限らず、物置であってもよい。通気部３４は、通気口５６のように奥壁４２の１箇所に形成された構成に限らず、奥壁４２の複数箇所に形成された構成であってもよい。排気手段は、換気扇３６のように１つに限らず、複数設けられていてもよい。
【０１０７】
センサ３９は、温度を測定するものに限らず、湿度を測定するものであってもよい。また、センサ３９は、温度及び湿度を測定するものであってもよい。この場合には、温度及び湿度の少なくとも一方に基準値を設定して、該基準値を上回った場合に換気扇３６を動作させればよい。
【符号の説明】
【０１０８】
１０  建物
１２  基礎
１６  玄関
２２  居室
２５  勝手口
３０  床下換気構造
３２  シューズクローク（収納部の一例）
３２Ａ  床
３４  通気部
３５  収納部壁
３６  換気扇（排気部の一例）
４１  入口
４４  壁体
４７Ａ  対向部
４７Ｂ  非対向部
４８Ａ  隣接部
４８Ｂ  非隣接部
４９Ａ  正面部
４９Ｂ  非正面部
５０  床下換気構造
５４  下棚板（遮視部材の一例）
５７  壁体通気口（壁体通気部の一例）
５８  排気口（排気部の一例）
６０  床下換気構造
６２  補助通気口
６４  カバー部材（補助遮視部材）
７０  床下換気構造
７２  扉
７４  吊下部
７６  空間部
８０  床下換気構造
８７Ａ  対向部
８７Ｂ  非対向部
８８Ａ  隣接部
８８Ｂ  非隣接部
８９Ａ  正面部
８９Ｂ  非正面部
９０  建物
９２  居室
９４  シューズクローク（収納部の一例）
９６  玄関
１００  床下換気構造
１０２  収納部壁
１０４  壁体
Ｋ  床下空間
【図１】
2018188930.tif 000003
【図２】
2018188930.tif 000004
【図３】
2018188930.tif 000005
【図４】
2018188930.tif 000006
【図５】
2018188930.tif 000007
【図６】
2018188930.tif 000008
【図７】
2018188930.tif 000009
【図８】
2018188930.tif 000010
【図９】
2018188930.tif 000011
【図１０】
2018188930.tif 000012